(57)【要約】【課題】ユーザーがポケットのサイズを選択可能なシートトリムカバー及び乗物用シートを提供する。【解決手段】シート１のシートバック３を覆うトリムカバーには、物品を収容するためのポケット５が設けられている。ポケット５は、ポケット５の外側材７を内側材６に対して着脱可能に留める一つ以上の留め具９を有し、少なくとも一つの留め具９が、ポケット５のポケット口８に設けられている。【選択図】図１
2018199406.tif 000002
【特許請求の範囲】
【請求項１】
ポケットを備え、
前記ポケットの外側材を内側材に対して着脱可能に留める一つ以上の留め具を有し、
少なくとも一つの前記留め具が、前記ポケットのポケット口に設けられているシートトリムカバー。
【請求項２】
請求項１記載のシートトリムカバーであって、
前記ポケット口に設けられている前記留め具から前記ポケットの深さ方向に延びる第１方向ラインに沿って、前記外側材が前記内側材に対して着脱可能に留められるシートトリムカバー。
【請求項３】
請求項２記載のシートトリムカバーであって、
前記ポケット口に設けられている前記留め具を含む複数の前記留め具が前記第１方向ラインに沿って配列されているシートトリムカバー。
【請求項４】
請求項２記載のシートトリムカバーであって、
前記ポケット口に設けられている前記留め具が前記第１方向ラインに沿って延びているシートトリムカバー。
【請求項５】
請求項１から４のいずれか一項記載のシートトリムカバーであって、
前記ポケット口と前記ポケットの底との間で前記ポケットの深さ方向と交差する幅方向に延びる少なくとも一つの第２方向ラインに沿って、前記外側材が前記内側材に対して着脱可能に留められるシートトリムカバー。
【請求項６】
請求項５記載のシートトリムカバーであって、
前記ポケット口に設けられている前記留め具の前記幅方向の位置を境に前記第２方向ラインを複数の区間に分割した場合の区間毎に、前記外側材が前記内側材に対して着脱可能に留められるシートトリムカバー。
【請求項７】
請求項６記載のシートトリムカバーであって、
複数の前記留め具が前記第２方向ラインに沿って配列されているシートトリムカバー。
【請求項８】
請求項１から７のいずれか一項記載のシートトリムカバーであって、
前記留め具は磁石を含むシートトリムカバー。
【請求項９】
請求項１から８のいずれか一項記載のシートトリムカバーによって覆われた乗物用シート。
【発明の詳細な説明】
【技術分野】
【０００１】
本発明は、シートトリムカバー及び乗物用シートに関する。
【背景技術】
【０００２】
特許文献１に記載された車両用シートは、シートバックの背面に、シートバック幅方向に配列された複数のポケットを備える。複数のポケット間は、シートバックの背面に縫い付けられており、この縫い目は、シートバック高さ方向にポケットの上端を越え、シートバック背面とシートバック上面との境界まで達している。
【先行技術文献】
【特許文献】
【０００３】
【特許文献１】特開２０１５−７７３１４号公報
【発明の概要】
【発明が解決しようとする課題】
【０００４】
特許文献１に記載されたシートでは、複数のポケット間がシートバックの背面に縫い付けられることによって複数のポケットに仕切られているが、この場合、複数のポケットそれぞれのサイズが固定されてしまう。
【０００５】
本発明は、上述した事情に鑑みなされたものであり、ユーザーがポケットのサイズを選択可能なシートトリムカバー及び乗物用シートを提供することを目的とする。
【課題を解決するための手段】
【０００６】
本発明の一態様のシートトリムカバーは、ポケットを備え、上記ポケットの外側材を内側材に対して着脱可能に留める一つ以上の留め具を有し、少なくとも一つの上記留め具が、上記ポケットのポケット口に設けられている。
【０００７】
また、本発明の一態様の乗物用シートは、上記シートトリムカバーによって覆われている。
【発明の効果】
【０００８】
本発明によれば、ユーザーがポケットのサイズを容易に選択可能なシートトリムカバー及び乗物用シートを提供することができる。
【図面の簡単な説明】
【０００９】
【図１】本発明の実施形態を説明するための乗物用シートの一例の構成を示す斜視図である。
【図２】図１のシートのシートバックに設けられているポケットの正面図である。
【図３】図２のIII−III線断面図である。
【図４】図２のポケットの使用例を示す正面図である。
【図５】図２のポケットの他の使用例を示す正面図である。
【図６】留め具のレイアウトの他の例を示すポケットの正面図である。
【図７】留め具のレイアウトの他の例を示すポケットの正面図である。
【図８】留め具のレイアウトの他の例を示すポケットの正面図である。
【図９】留め具のレイアウトの他の例を示すポケットの正面図である。
【図１０】本発明の実施形態を説明するための乗物用シートの他の例の構成を示す斜視図である。
【発明を実施するための形態】
【００１０】
図１は、本発明の実施形態を説明するための乗物用シートの一例を示す。
【００１１】
図１に示すシート１は、自動車等の車両に搭載される乗物用シートであって、座面部分を構成するシートクッション２と、背もたれ部分を構成するシートバック３と、シートバック３の上部に設けられたヘッドレスト４とを備える。
【００１２】
シートクッション２、シートバック３、及びヘッドレスト４は、それぞれ、金属製のフレームと、フレームを覆うクッション材と、クッション材を覆うシートトリムカバーと、を含んで構成されている。
【００１３】
シートトリムカバーは、典型的には複数の表皮材が縫製されてなり、表皮材としては、例えば皮革、織布、不織布等が用いられる。トリムカバーは、一種の表皮材によって形成されてもよいし、部位に応じて異なる複数種の表皮材によって形成されてもよい。
【００１４】
シートバック３のシートトリムカバーは、シートバック３の背面を覆う部位に、物品を収納するためのポケット５を備える。
【００１５】
図２及び図３は、ポケット５の構成を示す。
【００１６】
ポケット５は、シートバック３のシートトリムカバーを形成している表皮材である内側材６と、内側材６に縫い付けられている外側材７とを有する。外側材７の縁部のうちシートバック３の幅方向両側の縁部と下側の縁部とが内側材６に縫い付けられることによってポケット５の収納空間が形成されおり、外側材７の上縁部と内側材６との間にポケット口８が形成されている。
【００１７】
外側材７は、内側材６と同一の生地で形成されていてもよいし、ポケット５に収納された物品をポケット５の外側から視認可能とするメッシュ材や透明樹脂シート等、内側材６と異なる生地で形成されてもよい。
【００１８】
ポケット５は、外側材７を内側材６に対して着脱可能に留める留め具９をさらに有する。本例では、一つの留め具９がポケット口８の延在方向略中央に設けられており、留め具９は一対の略円盤状の磁石１０と磁石１１とによって構成されている。
【００１９】
図３に示すように、一方の磁石１０は外側材７に固定されており、他方の磁石１１は、内側材６に固定され、外側材７に固定されている磁石１０と対向して配置されている。磁石１０と磁石１１との間には吸引力が生じており、外側材７に固定されている磁石１０が内側材６に固定されている磁石１１に吸着されることにより、留め具９は留められる。そして、磁石１１に吸着された磁石１０がユーザーによって磁石１１から剥離されることにより、留め具９は外される。
【００２０】
図３に示す例では、磁石１０の磁石１１との対向面は露出されており、磁石１１の磁石１０との対向面は内側材６によって覆われている。少なくとも一方の磁石の対向面が覆われていることにより、磁石１０が磁石１１に吸着された際の当接音を抑制することができる。なお、磁石１０の対向面が外側材７によって覆われ、且つ磁石１１の対向面が内側材６によって覆われていてもよい。
【００２１】
また、磁石１０及び磁石１１のうち一方の磁石は、例えば鋼板等の磁性体であってもよい。
【００２２】
図４及び図５は、ポケット５の使用例を示す。
【００２３】
図４に示すように、留め具９が留められた状態で、ポケット口８は留め具９を境にして延在方向に二分される。ポケット口８を二分することにより、留め具９からポケット５の深さ方向に延びる第１方向ラインＬ１を境にしてポケット５の収納空間を二つの小空間に仕切り、小空間毎に比較的小さな物品（例えばスマートフォン、小冊子等）を収納することができる。
【００２４】
一方、図５に示すように、留め具９が外されることにより、二分されていたポケット口８は一つに統合される。これにより、ポケット５の収納空間全体を単一の空間として、ポケット５に比較的大きな物品（例えばティッシュボックス、道路地図等）を収納することができる。
【００２５】
このように、ポケット５の外側材７を内側材６に対して着脱可能に留める留め具９が、ポケット口８に設けられていることにより、ユーザーがポケット５のサイズを容易に選択可能となる。ポケット５に収納される物品のサイズに応じてポケット５のサイズが選択されることにより、ポケット５に収納された物品がポケット５の収納空間内で移動することを抑制でき、ポケット５に複数の物品が収納されている場合に、移動に伴う物品同士の衝突を抑制することができる。
【００２６】
図２に示した例では、一つの留め具９がポケット口８の延在方向略中央に設けられているが、留め具９を境にしてポケット５の幅方向に仕切られる二つの小空間のサイズが互いに異なるよう、留め具９はポケット口８の中央に対して左右いずれかの方向に偏寄して設けられてもよい。
【００２７】
また、図６に示すように、ポケット口８の延在方向に適宜な間隔をあけて複数個（図示の例では２個）の留め具９がポケット口８に設けられてもよい。複数個の留め具９のうち、留められた状態にある留め具９の数（外された状態にある留め具９の数）を変えることにより、留め具９を境にしてポケット５の幅方向に仕切られる小空間の数と各小空間のサイズとを変更でき、ポケット５の利便性を一層高めることができる。
【００２８】
図７は、ポケット５に設けられる留め具９のレイアウトの他の例を示す。
【００２９】
図７に示す例では、一つの留め具９ａがポケット口８に設けられており、さらに、ポケット口８の留め具９ａからポケット５の深さ方向に延びる第１方向ラインＬ１に沿って１個以上（図示の例では２個）の留め具９ｂが設けられている。なお、留め具９ａ及び留め具９ｂは上記の留め具９と同様に構成されている。
【００３０】
上述したとおり、ポケット口８の留め具９ａが留められることにより、留め具９ａから延びる第１方向ラインＬ１を境にしてポケット５の収納空間が二つの小空間に仕切られるが、第１方向ラインＬ１に沿って設けられている留め具９ｂが留められることにより、ポケット５の収納空間の仕切りがより確実なものとなる。これにより、ポケット５に収納された物品がポケット５の収納空間内で移動することを一層抑制できる。
【００３１】
なお、図６に示した例と同様に、複数の留め具９ａがポケット口８に設けられてもよい。この場合に、複数の第１方向ラインＬ１が設定され、各第１方向ラインＬ１に沿って複数の留め具（留め具９ａ及び一個以上の留め具９ｂ）が配列される。
【００３２】
また、図８に示すように、ポケット口８の留め具９を構成する一対の磁石１０及び磁石１１として棒状の磁石が用いられ、留め具９からポケット５の深さ方向に延びる第１方向ラインＬ１に沿って留め具９が延びていてもよい。この場合、ポケット５の収納空間の仕切りがより確実なものとなり、さらに、複数の留め具（留め具９ａ及び留め具９ｂ）を着脱する場合に比べて操作性も高まる。
【００３３】
なお、第１方向ラインＬ１に沿って延びる留め具９もまた、図６に示した例と同様に、ポケット口８の延在方向に適宜な間隔をあけて複数設けられてもよい。
【００３４】
図９は、ポケット５に設けられる留め具９のレイアウトの他の例を示す。
【００３５】
図９に示す例では、一つの留め具９ａがポケット口８に設けられており、ポケット口８とポケット５の底との間でポケット５の幅方向に延びる第２方向ラインＬ２に沿って、複数の留め具９ｃが設けられている。なお、留め具９ｃは上記の留め具９と同様に構成されている。
【００３６】
本例では、留め具９ｃを留め又は外すことによってポケット５の深さを変更することができる。特に、ポケット口８に設けられている留め具９ａから延びる第１方向ラインＬ１を境に第２方向ラインＬ２を複数の区間に分割した場合の区間毎に留め具９ｃを留め又は外すことによって、第１方向ラインＬ１を境にしてポケット５の収納空間が仕切られてなる二つの小空間毎に深さを変更することができる。ポケット５に収納される物品のサイズに応じてポケット５の深さ（小空間毎の深さ）が変更されることにより、ポケット５に収納された物品の取り出しが容易となり、ポケット５の利便性を一層高めることができる。
【００３７】
なお、第２方向ラインＬ２はポケット５の深さ方向に適宜な間隔をあけて複数設定されてもよい。この場合に、各第２方向ラインＬ２に沿って複数の留め具９ｃが配列される。
【００３８】
ここまで、留め具９が磁石を含んで構成されているものとして説明したが、留め具９は、スナップボタン又は面ファスナーによって構成されてもよい。
【００３９】
また、ポケット５はシートバック３の背面に設けられているものとして説明したが、例えば図１０に示すように、ポケット５は、シートクッション２のシートトリムカバーにおいてシートクッション２の側面を覆う部位に設けられてもよい。
【００４０】
また、シート１は、自動車等の車両に搭載されるシートに限らず、航空機、船舶等の車両以外の乗り物用のシートに適用されてもよい。
【００４１】
以上、説明したとおり、本明細書に開示されたシートトリムカバーは、ポケットを備え、上記ポケットの外側材を内側材に対して着脱可能に留める一つ以上の留め具を有し、
少なくとも一つの上記留め具が、上記ポケットのポケット口に設けられている。
【００４２】
また、本明細書に開示されたシートトリムカバーは、上記ポケット口に設けられている上記留め具から上記ポケットの深さ方向に延びる第１方向ラインに沿って、上記外側材が上記内側材に対して着脱可能に留められる。
【００４３】
また、本明細書に開示されたシートトリムカバーは、上記ポケット口に設けられている上記留め具を含む複数の上記留め具が上記第１方向ラインに沿って配列されている。
【００４４】
また、本明細書に開示されたシートトリムカバーは、上記ポケット口に設けられている上記留め具が上記第１方向ラインに沿って延びている。
【００４５】
また、本明細書に開示されたシートトリムカバーは、上記ポケット口と上記ポケットの底との間で上記ポケットの深さ方向と交差する幅方向に延びる少なくとも一つの第２方向ラインに沿って、上記外側材が上記内側材に対して着脱可能に留められる。
【００４６】
また、本明細書に開示されたシートトリムカバーは、上記ポケット口に設けられている上記留め具の上記幅方向の位置を境に上記第２方向ラインを複数の区間に分割した場合の区間毎に、上記外側材が上記内側材に対して着脱可能に留められる。
【００４７】
また、本明細書に開示されたシートトリムカバーは、複数の上記留め具が上記第２方向ラインに沿って配列されている。
【００４８】
また、本明細書に開示されたシートトリムカバーは、上記留め具は磁石を含む。
【００４９】
また、本明細書に開示された乗物用シートは、上記シートトリムカバーによって覆われている。
【符号の説明】
【００５０】
１  シート
２  シートクッション
３  シートバック
４  ヘッドレスト
５  ポケット
６  内側材
７  外側材
８  ポケット口
９，９ａ，９ｂ，９ｃ  留め具
１０  磁石
１１  磁石
Ｌ１  第１方向ライン
Ｌ２  第２方向ライン
【図１】
2018199406.tif 000003
【図２】
2018199406.tif 000004
【図３】
2018199406.tif 000005
【図４】
2018199406.tif 000006
【図５】
2018199406.tif 000007
【図６】
2018199406.tif 000008
【図７】
2018199406.tif 000009
【図８】
2018199406.tif 000010
【図９】
2018199406.tif 000011
【図１０】
2018199406.tif 000012